(57)【要約】  歯ブラシ、舌ブラシ、歯間ブラシ等の口内洗浄器具を振動させることができる口内洗浄用装置を提供する。  口内洗浄用装置は、口内洗浄器具を支持する支持部（２０）と、支持部（２０）に対して近接可能及び離隔可能となっており、支持部（２０）に近接させることで口内洗浄器具（１００）を支持部（２０）に対して固定する挟持固定部（５）と、支持部（２０）又は挟持固定部（５）を振動させることで、支持部（２０）に対して固定された口内洗浄器具（１００）を振動させる振動部（３０），（３１）と、を有する。
2016135780.tif 000002
【特許請求の範囲】
【請求項１】
口内洗浄器具を支持する支持部と、
前記支持部に対して近接可能及び離隔可能となっており、前記支持部に近接させることで前記口内洗浄器具を前記支持部に対して固定する挟持固定部と、
前記支持部又は前記挟持固定部を振動させることで、前記支持部に対して固定された前記口内洗浄器具を振動させる振動部と、
を備えたことを特徴とする口内洗浄用装置。
【請求項２】
下方位置で前記口内洗浄器具を前記支持部に対して固定する補助固定部をさらに備え、
前記挟持固定部は、前記補助固定部よりも上方位置で前記口内洗浄器具を前記支持部に対して固定することを特徴とする請求項１に記載の口内洗浄用装置。
【請求項３】
前記補助固定部は、前記口内洗浄器具の下端を前記支持部に対して固定することを特徴とする請求項２に記載の口内洗浄用装置。
【請求項４】
前記支持部は本体に含まれ、
前記本体の側面に設けられた回転部をさらに備え、
前記挟持固定部は、前記回転部を回転させることで前記支持部に近接し、前記口内洗浄器具を前記支持部に向かって押圧する押圧部を有することを特徴とする請求項１乃至３のいずれか１項に記載の口内洗浄用装置。
【請求項５】
前記回転部は、前記本体側から前記回転部内への液体の流れを遮断するための第一密閉部を有していることを特徴とする請求項４に記載の口内洗浄用装置。
【請求項６】
前記第一密閉部は防水リングを有し、
前記本体の側面に設けられた凹部に前記防水リングが嵌め込まれることを特徴とする請求項５に記載の口内洗浄用装置。
【請求項７】
前記回転部は、前記支持部と反対側から前記回転部内への液体の流れを遮断するための第二密閉部を有していることを特徴とする請求項４乃至６のいずれか１項に記載の口内洗浄用装置。
【請求項８】
前記回転部は、回転可能な回転本体部と、前記回転本体部の正面に貼り付けられた貼付シール部とを有し、
前記貼付シール部は第二密閉部に含まれることを特徴とする請求項７に記載の口内洗浄用装置。
【請求項９】
前記挟持固定部で固定された前記口内洗浄器具を、前記支持部の下方位置から上方位置までの高さ領域で覆うケーシングをさらに備えたことを特徴とする請求項１乃至８のいずれか１項に記載の口内洗浄用装置。
【請求項１０】
前記支持部は本体に含まれ、
前記ケーシングは、前記本体に対して取り外し自在になっていることを特徴とする請求項９に記載の口内洗浄用装置。
【請求項１１】
前記口内洗浄器具は歯ブラシ、舌ブラシ又は歯間ブラシであることを特徴とする請求項１乃至１０のいずれか１項に記載の口内洗浄用装置。
【発明の詳細な説明】
【技術分野】
【０００１】
本発明は、歯ブラシ、舌ブラシ、歯間ブラシ等の口内洗浄を行う口内洗浄用装置に関する。
【背景技術】
【０００２】
従来から、歯ブラシ部を振動させることで歯を磨くための電動歯ブラシが知られている（特許文献１参照）。このような電動歯ブラシを用いることで手動によって歯を磨く場合と比較して歯をきれいに磨くことを期待できる。電動歯ブラシの歯ブラシ部分は消耗品であることから、ある程度利用した場合には歯ブラシ部分を交換する必要がある。
【先行技術文献】
【特許文献】
【０００３】
【特許文献１】特開２０１１−１３９８４４号公報
【発明の概要】
【発明が解決しようとする課題】
【０００４】
しかしながら、歯ブラシ部分についてはメーカー側が指定したものを用いるしかないのが現状であり、ユーザが自由に選ぶことは難しかった。また、歯ブラシ部分の価格は高いものが多く、安価で入手することは困難な状況であった。【０００５】
また、電動歯ブラシでは歯ブラシ部分を振動させることは試みられているが、歯ブラシ以外の舌ブラシ、歯間ブラシ等の口内洗浄器具については振動させるという概念自体がなかった。【０００６】
本発明は、このような点を鑑みてなされたものであり、歯ブラシ、舌ブラシ、歯間ブラシ等の口内洗浄器具を振動させることができる口内洗浄用装置を提供する。
【課題を解決するための手段】
【０００７】
本発明による口内洗浄用装置は、
口内洗浄器具を支持する支持部と、
前記支持部に対して近接可能及び離隔可能となっており、前記支持部に近接させることで前記口内洗浄器具を前記支持部に対して固定する挟持固定部と、
前記支持部又は前記挟持固定部を振動させることで、前記支持部に対して固定された前記口内洗浄器具を振動させる振動部と、
を備えている。【０００８】
本発明による口内洗浄用装置は、
下方位置で前記口内洗浄器具を前記支持部に対して固定する補助固定部をさらに備え、
前記挟持固定部が、前記補助固定部よりも上方位置で前記口内洗浄器具を前記支持部に対して固定してもよい。【０００９】
本発明による口内洗浄用装置において、
前記補助固定部は、前記口内洗浄器具の下端を前記支持部に対して固定してもよい。【００１０】
本発明による口内洗浄用装置において、
前記支持部は本体に含まれ、
口内洗浄用装置が前記本体の側面に設けられた回転部をさらに備え、
前記挟持固定部が、前記回転部を回転させることで前記支持部に近接し、前記口内洗浄器具を前記支持部に向かって押圧する押圧部を有してもよい。【００１１】
本発明による口内洗浄用装置において、
前記回転部は、前記本体側から前記回転部内への液体の流れを遮断するための第一密閉部を有してもよい。【００１２】
本発明による口内洗浄用装置において、
前記第一密閉部は防水リングを有し、
前記本体の側面に設けられた凹部に前記防水リングが嵌め込まれてもよい。【００１３】
本発明による口内洗浄用装置において、
前記回転部は、前記支持部と反対側から前記回転部内への液体の流れを遮断するための第二密閉部を有してもよい。【００１４】
本発明による口内洗浄用装置において、
前記回転部は、回転可能な回転本体部と、前記回転本体部の正面に貼り付けられた貼付シール部とを有し、
前記貼付シール部は第二密閉部に含まれてもよい。【００１５】
本発明による口内洗浄用装置は、
前記挟持固定部で固定された前記口内洗浄器具を、前記支持部の下方位置から上方位置までの高さ領域で覆うケーシングをさらに備えてもよい。【００１６】
本発明による口内洗浄用装置において、
前記支持部は本体に含まれ、
前記ケーシングは、前記本体に対して取り外し自在になってもよい。【００１７】
本発明による口内洗浄用装置において、
前記口内洗浄器具は歯ブラシ、舌ブラシ又は歯間ブラシであってもよい。
【発明の効果】
【００１８】
本発明によれば、支持部に挟持固定部を近接させることで口内洗浄器具を支持部に対して固定し、その状態で支持部又は挟持固定部を振動させることで、支持部に対して固定された口内洗浄器具を振動させることができる。このため、歯ブラシ、舌ブラシ、歯間ブラシ等の口内洗浄器具を口内洗浄用装置に取り付けるだけで、口内洗浄器具を振動させることができ、高い洗浄機能を発揮することができる。【００１９】
歯ブラシに関して述べると、自己の好みにあった歯ブラシをいわゆる電動歯ブラシとすることができる。また場合によれば、安価な歯ブラシを用いることで、低いランニングコストで電動歯ブラシと同程度の洗浄効果を得ることができる。
【図面の簡単な説明】
【００２０】
【図１】図１（ａ）は、本発明の実施の形態による口内洗浄用装置を分解した斜視図であり、図１（ｂ）は、本発明による口内洗浄用装置を組み立てた後の斜視図である。
【図２】図２は、本発明の実施の形態による第一密閉部とワイヤーとの関係を説明するための斜視図である。
【図３】図３（ａ）は本発明の実施の形態による口内洗浄用装置の平面図であり、図３（ｂ）は当該口内洗浄用装置の側面図であって一部について内部構造を示した図であり、図３（ｃ）は当該口内洗浄用装置の背面図であり、図３（ｄ）は当該口内洗浄用装置の底面図である。
【図４】図４は本発明の実施の形態による口内洗浄用装置の側方断面図である。
【図５】図５は本発明の実施の形態による口内洗浄用装置のボタン近辺を拡大した背面図である。
【図６】図６（ａ）は本発明の実施の形態による口内洗浄用装置の背面図であり、図６（ｂ）は図６（ａ）の直線Ｂ−Ｂで切断した断面図であり、図６（ｃ）は図６（ａ）の直線Ｃ−Ｃで切断した断面図であり、図６（ｄ）は本発明の実施の形態で用いられるボタンを拡大した図面であり、図６（ｅ）は本発明の実施の形態で用いられるボタン枠を拡大した図面である。
【図７】図７（ａ）は、本発明の実施の形態による口内洗浄用装置の押圧部が支持部に対して離隔した状態を示した平面図であり、図７（ｂ）は当該押圧部が支持部に対して近接した状態を示した平面図である。
【図８】図８（ａ）（ｂ）は、本発明の実施の形態による口内洗浄用装置に口内洗浄器具の一例である歯ブラシを取り付けた際の図面であり、図８（ｃ）は、口内洗浄器具の一例である歯間ブラシを取り付けた際の図面である。
【発明を実施するための形態】
【００２１】
《構成》
以下、本発明に係る口内洗浄用装置の実施の形態について、図面を参照して説明する。ここで、図１乃至図８は本発明の実施の形態を説明するための図である。
【００２２】
図１（ｂ）に示すように、本実施の形態の口内洗浄用装置は、歯ブラシ、舌ブラシ、歯間ブラシ等の口内洗浄器具１００を支持する支持部２０を有している。口内洗浄用装置は、支持部２０に対して近接可能及び離隔可能となった挟持固定部５を有している。挟持固定部５（具体的には後述する押圧部１０）を支持部２０に近接させることで口内洗浄器具１００を支持部２０に対して固定することができる。
【００２３】
本実施の形態の支持部２０は上下方向で延在している。支持部２０は本体１に含まれており、本体１のうち後述するケーシング１３側の部分によって構成されている。
【００２４】
口内洗浄用装置は、支持部２０又は挟持固定部５を振動させることで、支持部２０に対して固定された口内洗浄器具１００を振動させる振動部３０，３１を有している。本実施の形態の振動部３０，３１は、図４に示すように、本体１内に設けられたモータ等の駆動部３０と、同じく本体１内に設けられ、駆動部３０の先端に偏心して設けられたバランスウエイト３１とを有している。そして、駆動部３０がバランスウエイト３１を回転させることで本体１が振動し、その結果、支持部２０に対して固定された口内洗浄器具１００が振動されることになる。なお、このような態様は一例であり、挟持固定部５に振動部が設けられ、挟持固定部５が振動することで、支持部２０に対して固定された口内洗浄器具１００が振動されるようになっていてもよい。本実施の形態では、振動部３０，３１によって支持部２０及び挟持固定部５が振動されることになる。
【００２５】
図３（ｂ）及び図４に示すように、口内洗浄用装置は、下方位置で口内洗浄器具１００を支持部２０に対して固定する補助固定部１５を有している。この補助固定部１５は、口内洗浄器具１００の下端を支持部２０に対して固定するようになっている。補助固定部１５は、支持部２０の下端に取り付けられる下方取付部１６に含まれている（図１（ａ）参照）。この下方取付部１６は本体１に対して取り外し自在になっている。補助固定部１５の高さ位置（上下方向の位置）はケーシング１３の下端近傍に位置する必要はなく、より上方（例えばケーシング１３の下端からケーシング１３の全体長さ３０％以内の距離）に位置してもよい。また、補助固定部１５の高さ位置は調整できるようになってもよい。このように補助固定部１５の高さ位置を調整することで、様々な長さからなる口内洗浄器具１００の下端や下方部を補助固定部１５で支持部２０に対して固定することができる。
【００２６】
上述した挟持固定部５は、補助固定部１５よりも上方位置で口内洗浄器具１００を支持部２０に対して固定するようになっている。図１（ｂ）に示すように、支持部２０の側面には回転部４０が設けられている。挟持固定部５は、回転部４０を回転させることで支持部２０に近接し、口内洗浄器具１００を支持部２０に対して押圧する押圧部１０と、押圧部１０及び回転部４０に連結され、ワイヤー５０等からなる連結機構とを有している（図１（ａ）参照）。この連結機構が回転部４０で回転されることで、押圧部１０が支持部２０に対して近接又は離隔するようになっている（図７（ａ）（ｂ）参照）。図１に示す態様では、連結機構がワイヤー５０からなっている。このワイヤー５０は、上方から見たときに略Ｕ字形状となっており、その先端にワイヤー止め５１が設けられている。また、押圧部１０には、このワイヤー止め５１を挿入するための挿入部１１が設けられている。
【００２７】
回転部４０と支持部２０との間には、支持部２０側から回転部４０内への液体の流れを遮断するための第一密閉部６１が設けられている。本実施の形態では、この第一密閉部６１は防水リングからなっており、本体１に設けられた凹部２に第一密閉部６１が嵌め込まれる。第一密閉部６１の内周側には、後述するリール６３等が配置されることになる。図２に示すように、第一密閉部６１を構成する防水リングには一対の切り込み６１ａが設けられており、この切り込み６１ａ内にワイヤー５０が挿入されるようになっている。
【００２８】
本実施の形態では、回転部４０は、上述した第一密閉部６１と、ラチェット内歯６２と、ラチェット内歯６２の内周側に設けられるリール６３と、リール６３の正面側（本体１の背面側）に設けられる駆動盤６４と、駆動盤６４の外周側に設けられるＯリング６５と、Ｏリング６５を収納するための溝が内周面に設けられた回転本体部であるダイヤル４１と、ダイヤル４１の正面（図４の右側の面：本体１の背面側の面）に張り付けられるドーナツ形状からなる防水両面シール６６と、防水両面シール６６の上方から張り付けられる防水シール６７とを有している。このうち、Ｏリング６５、防水両面シール６６及び防水シール６７によって、支持部２０と反対側（図４の右側）から回転部４０内への液体の流れを遮断するための第二密閉部６５−６７が構成されている。これはあくまでも一例であり、第二密閉部は、Ｏリング６５だけ、又は、防水両面シール６６及び防水シール６７だけを有していてもよい。なお、防水両面シール６６及び防水シール６７は貼付シール部に含まれている。図５に示すように、駆動盤６４は、ラチェット爪６４ａと、ラチェット内歯６２と篏合するラチェット外歯６４ｂとを有している。
【００２９】
ダイヤル４１が例えば時計回りに回転されることで駆動盤６４が回転し、その結果、リール６３が回転し、ワイヤー５０が巻き取られることになる。そして、このようにワイヤー５０がリール６３で巻き取られると、押圧部１０が支持部２０に近接されることになる（図７（ａ）参照）。他方、ダイヤル４１が例えば反時計回りに回転されることで、リール６３で巻き取られたワイヤー５０が開放状態（緩んだ状態）になり、押圧部１０が支持部２０から離隔されることになる（図７（ｂ）参照）。
【００３０】
図１（ｂ）、図３（ｂ）及び図４に示すように、挟持固定部５で固定された口内洗浄器具１００を、支持部２０の下方位置から上方位置までの高さ領域で覆うケーシング１３が設けられている。本実施の形態では、このケーシング１３は、支持部２０の下端位置から上端位置まで延在するようになっている。
【００３１】
本実施の形態のケーシング１３は本体１に対して取り外し自在になっている（図１（ａ）参照）。具体的には、支持部２０の側面には、ケーシング１３を案内するための溝部２１が設けられており、この溝部２１で案内されることで、ケーシング１３が支持部２０に取り付けられることになる。ケーシング１３は下面１３ａを有しており、この下面１３ａには下方取付部１６の下端部に設けられた突出部１８を挿入するための切欠部１３ｂが設けられている。なお、下方取付部１６にもケーシング１３を案内するための溝部１７が設けられている。
【００３２】
図６に示すように、本体１の背面側にはオン及びオフを切り替えるために設けられ、例えば樹脂等からなるボタン７０が設けられている。図４及び図６（ｂ）（ｃ）に示すように、このボタン７０の支持部２０側（図４の左側）にはタクトスイッチ７１が隣接して配置されている。タクトスイッチ７１に対向して配線プレート７９が設けられている。オフ状態にあるときにボタン７０を押すことでタクトスイッチ７１が下がり（図４の左側に移動し）、タクトスイッチ７１が配線プレート７９に接触することで、電池Ｂから駆動部３０へと電力が供給される。逆に、オン状態にあるときにボタン７０を押すことでタクトスイッチ７１が上がり（図４の右側に移動し）、その結果、電池Ｂから駆動部３０へと電力が遮断される。このような態様に限られることはなく、ボタン７０を押している間はタクトスイッチ７１が下がって、タクトスイッチ７１と配線プレート７９とが接触してオン状態となり、ボタン７０を離すとタクトスイッチ７１が上がって、タクトスイッチ７１と配線プレート７９とが離隔してオフ状態となってもよい。タクトスイッチ７１の周縁にはタクトスイッチ７１を配線プレート７９に案内するために設けられ、中心部が開口した案内部７３が設けられている。この案内部７３によって、タクトスイッチ７１が配線プレート７９に向かって直線状に移動できるようになっている。
【００３３】
図６に示すように、ボタン７０の周縁にはボタン枠７４が設けられている。図６（ｂ）（ｄ）（ｅ）に示すように、ボタン７０には、ボタン枠７４の突出部７４ａが挿入されるための切欠部７０ａが形成されている。ボタン枠７４の突出部７４ａにボタン７０の切欠部７０ａが挿入されて一体型となった後で、本体１にボタン７０及びボタン枠７４が取り付けられることになる。
【００３４】
図３（ｂ）（ｄ）に示すように、本体１の下端には電池Ｂを入れたり取り出したりする際に開閉される電池蓋７５が搖動するようにして設けられている。そして、電池蓋７５の背面側（図４の右側）の面と本体１との間には、Ｏリング７６が設けられ、水等の液体が電池Ｂを収納する電池ボックス８０内に侵入することを防止するようになっている。
【００３５】
図示されていないが、口内洗浄用装置には電池ボックス８０内の電池Ｂを充電するための充電部が設けられてもよい。このような態様を採用する場合には、充電部から供給される電力によって電池ボックス８０内の電池Ｂが充電されることになる。
【００３６】
《効果》
次に、上述した構成からなる本実施の形態によって達成される効果であって、まだ述べていない効果又はとりわけ重要な効果について説明する。
【００３７】
本実施の形態によれば、支持部２０に挟持固定部５の押圧部１０を近接させることで口内洗浄器具１００を支持部２０に対して固定し、その状態で支持部２０及び挟持固定部５を振動させることで、支持部２０に対して固定された口内洗浄器具１００を振動させることができる（図７及び図８参照）。このため、市販されている歯ブラシ、舌ブラシ、歯間ブラシ等の口内洗浄器具１００を口内洗浄用装置に取り付けるだけで、口内洗浄器具１００を振動させることができ、高い洗浄機能を発揮することができる。歯ブラシに関して述べると、自己の好みにあった歯ブラシをいわゆる電動歯ブラシとすることができる。また場合によれば、安価な歯ブラシを用いることで、低いランニングコストで電動歯ブラシと同程度の洗浄効果を得ることができる。
【００３８】
本実施の形態では、挟持固定部５の押圧部１０が支持部２０に対して近接可能及び離隔可能となっており（図７（ａ）（ｂ）参照）、押圧部１０を支持部２０に近接させることで歯ブラシ、舌ブラシ、歯間ブラシ等の口内洗浄器具１００を支持部２０に対して固定することができる。このため、あらゆる大きさからなる把持部（通常は使用者が手で握る箇所）を有する口内洗浄器具１００を支持部２０に対してしっかりと固定することができる。とりわけ、歯ブラシ、舌ブラシ及び歯間ブラシの各々では把持部の太さが異なる傾向にあるが、本実施の形態によれば、太さの異なる歯ブラシ、舌ブラシ及び歯間ブラシの各々に対応することができる点で有益である。なお、図８（ａ）は把持部の太さが太い歯ブラシを装着した際の図面であり、図８（ｂ）は把持部の太さが細い歯ブラシを装着した際の図面であり、図８（ｃ）は歯間ブラシを装着した際の図面である。このように、本実施の形態では、把持部の太さの異なる口内洗浄器具１００をしっかりと固定することができる。
【００３９】
また、前述したように、押圧部１０を支持部２０に近接させることで歯ブラシ、舌ブラシ、歯間ブラシ等の口内洗浄器具１００を支持部２０に対して固定することができるので、口内洗浄器具１００と支持部２０との間に形成される遊びを極力抑えることができ、ひいては、振動部３０，３１によって効率よく口内洗浄器具１００を振動させることができる。
【００４０】
また、図３（ｂ）及び図４で示すように、本実施の形態では、挟持固定部５だけではなく補助固定部１５が設けられており、２点以上の箇所で口内洗浄器具１００を支持部２０に対して固定することができる。このため、よりしっかりと口内洗浄器具１００を支持部２０に対して固定することができ、ひいては、振動部３０，３１によってより効率よく口内洗浄器具１００を振動させることができる。
【００４１】
とりわけ、本実施の形態では、補助固定部１５が口内洗浄器具１００の下端位置を支持部２０に対して固定し、支持部２０の上端に近い位置で挟持固定部５が口内洗浄器具１００を支持部２０に対して固定する。このため、口内洗浄器具１００をバランスよく支持部２０に対して固定することができる。なお、支持部２０の上端に近い位置とは、支持部２０の上端から、支持部２０の長手方向の全体長さ２０％以内の距離にある領域を意味している。
【００４２】
本実施の形態では、支持部２０の側面に設けられた回転部４０を回転させるだけで、押圧部１０を支持部２０に対して近接又は離隔させることができる。このように支持部２０の側面（背面側）に回転部４０を設けることで、使用者の親指の位置しない位置に（正面と反対側に）回転部４０を位置付けることができ、把持しやすくできる。また、本実施の形態では、回転部４０が支持部２０の側面に設けられていることから、歯磨き粉を含む水といった液体が回転部４０内に入りにくくすることができる。このため、回転部４０の劣化を防止するとともに、回転部４０内で雑菌が発生したりすることを極力防止することができる。
【００４３】
図１及び図４に示すように、本実施の形態では、本体１側から回転部４０内への液体の流れを遮断するための第一密閉部６１が設けられている。このため、本体１側から回転部４０内へ、歯磨き粉を含む水といった液体が入り込むことを防止することができる。このため、より確実に、回転部４０の劣化を防止するとともに、回転部４０内で雑菌が発生したりすることを極力防止することができる。
【００４４】
なお、本実施の形態では、図２に示すように、第一密閉部６１を構成する防水リングには一対の切り込み６１ａが設けられ、この切り込み６１ａ内にワイヤー５０が挿入されるようになっている。このため、ワイヤー５０からなる連結機構によって回転部４０からの回転運動を直線運動に変えつつ当該直線運動を押圧部１０に伝え、かつ、回転部４０内に液体が入り込むことを防止することができる。
【００４５】
図１及び図４に示すように、本実施の形態では、回転部４０が、支持部２０と反対側から（本実施の形態では本体１と反対側から）回転部４０内への液体の流れを遮断するための第二密閉部６５−６７を有している。このため、支持部２０と反対側から回転部４０内へ、歯磨き粉を含む水といった液体が入り込むことを防止することができる。このため、より確実に、回転部４０の劣化を防止するとともに、回転部４０内で雑菌が発生したりすることを極力防止することができる。
【００４６】
本実施の形態では、第二密閉部６５−６７がＯリング６５、防水両面シール６６及び防水シール６７を有していることから、回転部４０の正面（本体１の背面側の面）からの液体の入り込みを防水両面シール６６及び防水シール６７によって防止することができ、ダイヤル４１の内周面からの液体の入り込みをＯリング６５によって防止することができる。
【００４７】
本実施の形態では、口内洗浄器具１００を、支持部２０の下方位置から上方位置までの高さ領域で覆うケーシング１３が設けられている。このため、支持部２０側から回転部４０内に歯磨き粉を含む水といった液体が入り込むことを抑制することができる。とりわけ、本実施の形態では、ケーシング１３が、支持部２０の下端位置から上端位置まで延在するようになっている。このため、支持部２０側から回転部４０内に歯磨き粉を含む水といった液体が入り込むことを、より確実に抑えることができる。
【００４８】
本実施の形態のケーシング１３は本体１に対して取り外し自在になっている。このため、ケーシング１３を本体１から取り外すことができ、ケーシング１３及び支持部２０を含む本体１を洗浄することができる。したがって、これらケーシング１３及び本体１（支持部２０）を清潔に保つことができる。
【００４９】
また、本実施の形態では、補助固定部１５を含む下方取付部１６は本体１に対して取り外し自在になっていることから（図１（ａ）参照）、補助固定部１５を含む下方取付部１６を本体１から取り外して洗浄することができる。このため、下方取付部１６（とりわけ補助固定部１５）を清潔に保つことができる。
【００５０】
また、本実施の形態では、本体１の側面にケーシング１３を案内するための一対の溝部２１が設けられており、下方取付部１６にもケーシング１３を案内するための溝部１７が設けられている。このため、これら溝部１７及び溝部２１に沿ってケーシング１３をスライドさせるだけで、ケーシング１３を本体１から取り外したり取り付けたりことができる。具体的には、本体１と下方取付部１６とを連結した後で、ケーシング１３を本体１の溝部２１と下方取付部１６の溝部１７に沿って上方に移動させるだけで、ケーシング１３を本体１及び下方取付部１６に取り付けることができる。また、逆に、ケーシング１３を本体１の溝部２１と下方取付部１６の溝部１７に沿って下方に移動させるだけでケーシング１３を本体１及び下方取付部１６から取り外すことができる。このため、ケーシング１３を本体１及び下方取付部１６に取り付けたり取り外したりすることを容易に行うことができ、面倒ではないことから、本体１、ケーシング１３及び下方取付部１６を分解して洗浄することを促進することができる。
【００５１】
また、本実施の形態では、ケーシング１３が下面１３ａを有しており、この下面１３ａには下方取付部１６を挿入するための切欠部１３ｂが設けられている。このため、本体１と下方取付部１６とを連結した後で、ケーシング１３を本体１及び下方取付部１６の下側から上方にスライドさせて本体１及び下方取付部１６に取り付けることで、これらケーシング１３、本体１及び下方取付部１６を一体にすることができる。また、切欠部１３ｂに下方取付部１６の突出部１８が嵌め込まれ、その上方には補助固定部１５が突出部１８の上方を覆うようにして設けられることから、下方取付部１６とケーシング１３との間から歯磨き粉を含む水といった液体が入り込むことを防止することができる。したがって、本体１、下方取付部１６及びケーシング１３で囲まれた空間が歯磨き粉を含む水といった液体等で汚れることを防止することができる。
【００５２】
ところで、上述した実施の形態の記載及び図面の開示は、請求の範囲に記載された発明を説明するための一例に過ぎず、上述した実施の形態の記載又は図面の開示によって特許請求の範囲に記載された発明が限定されることはない。
【符号の説明】
【００５３】
５        挟持固定部
１０      押圧部
１３      ケーシング
１５      補助固定部
２０      支持部
３０      駆動部
３１      バランスウエイト
４０      回転部
６１      第一密閉部
６５      Ｏリング
６６      防水両面シール
６７      防水シール
１００    口内洗浄器具
【図１】
2016135780.tif 000003
【図２】
2016135780.tif 000004
【図３】
2016135780.tif 000005
【図４】
2016135780.tif 000006
【図５】
2016135780.tif 000007
【図６】
2016135780.tif 000008
【図７】
2016135780.tif 000009
【図８】
2016135780.tif 000010
【国際調査報告】
2016135780.tif 000011
2016135780.tif 000012
2016135780.tif 000013
2016135780.tif 000014